(57)【要約】【課題】  軟質合成樹脂よりなる管主体を湾曲させた際に、この管主体の外周面に螺旋状に巻着している補強突条の基端部に曲げ応力が集中的に作用するのを防止して耐久性及び柔軟性に優れた合成樹脂管を提供するにある。【解決手段】  軟質合成樹脂よりなる管主体１の外周面に硬質合成樹脂よりなる補強突条２を螺旋状に巻着してなる合成樹脂管において、隣接する補強突条部2a、2a間の管壁部は、内層壁部1aと、上記隣接する補強突条部2a、2aの基端部に連なる部分を両端支点部３、３として凸円弧状に湾曲した湾曲外層壁部1b' とからなり、管主体１に作用する曲げ応力を湾曲外層壁部1b' の上記両端支点部３、３とこの両端支点部３、３の内周側に連なった内層壁部1aの両端部とに分散させるように構成している。【選択図】  図４
2019027573.tif 000002
【特許請求の範囲】
【請求項１】
内周面を平坦な面に形成している軟質合成樹脂よりなる管主体の外周面に硬質合成樹脂よりなる補強突条を一定のピッチでもって螺旋状に巻着してなる可撓性を有する合成樹脂管において、上記管主体の管壁は一定厚みを有する内層壁部と外層壁部とからなり、上記補強突条の内周面に接した管壁部は上記内層壁部と外層壁部とが一体に重合されていてその外層壁部の外周面を補強突条の内周面に固着している一方、上記補強突条における管主体の長さ方向に隣接する補強突条部間の管壁部は上記外層壁部を内層壁部から分離させて隣接する補強突条部の基端角部を両端支点部として外方に向かって凸円弧状に湾曲させた湾曲外層壁部に形成していることを特徴とする可撓性を有する合成樹脂管。
【請求項２】
内周面を平坦な面に形成している軟質合成樹脂よりなる管主体の外周面に硬質合成樹脂よりなる補強突条を一定のピッチでもって螺旋状に巻着してなる可撓性を有する合成樹脂管において、上記管主体の管壁は一定厚みを有する内層壁部と外層壁部とからなり、上記補強突条の内周面に接した管壁部は上記内層壁部と外層壁部とが一体に重合されていてその外層壁部の外周面を補強突条の内周面に固着している一方、上記補強突条における管主体の長さ方向に隣接する補強突条部間の管壁部は、その外層壁部における一半部と他半部とを管壁部の内層壁部から外方に分離させて、外層壁部の一半部においては、その一端を一方の補強突条部の基端に連接させ、他端を上記内層壁部の中間部外周面に連接させた凸円弧状の湾曲外層壁部に形成してあり、他半部においては、その一端を上記内層壁部の中間部外周面に連接させ、他端を他方の補強突条部の基端に連接させた円弧状の湾曲外層壁部に形成していることを特徴とする可撓性を有する合成樹脂管。
【請求項３】
管主体の外周面に螺旋状に巻着している補強突条は、断面四角形状に形成されていることを特徴とする請求項１又は請求項２に記載の可撓性を有する合成樹脂管。
【発明の詳細な説明】
【技術分野】
【０００１】
本発明は軟質合成樹脂よりなる管主体の外周面に補強突条を螺旋状に巻着してなる可撓性を有する合成樹脂管に関する。
【背景技術】
【０００２】
従来から、可撓性を有する耐圧合成樹脂樹脂管としては、例えば、特許文献１や特許文献２に記載されている構造のものが広く知られており、具体的には図８に示すように、内周面が全長に亘って平坦な面に形成してなる軟質合成樹脂よりなる管主体11の外周面に、硬質合成樹脂よりなる断面が四角形の補強突条12を一定のピッチでもって螺旋状に巻着してなる構造を有している。
【０００３】
また、特許文献３には、軟質合成樹脂からなる管体の外周面に断面円形の補強突条を、その一部を上記管体に埋入させた状態で螺旋状に巻着していると共に管体の内周面にゴム層を層着してなる耐磨耗性複合ホースが記載されている。
【先行技術文献】
【特許文献】
【０００４】
【特許文献１】特開２００３−２１４５６３号公報
【特許文献２】特開２００８−２８１１６７号公報
【特許文献３】特開平９−２２２１８３号公報
【発明の概要】
【発明が解決しようとする課題】
【０００５】
上記特許文献１、２に記載された可撓性を有する合成樹脂管を図９に示すように湾曲（屈曲）させると、凸円弧状に湾曲する管主体11の外側周壁部11-1には、管主体11の外周面に螺旋状に巻着している補強突条12における隣接する補強突条部12a 、12a を互いに引き離そうとする方向に引張力が発生し、凹円弧状に湾曲する内側周壁部11-2には、隣接する補強突条部12a 、12a を互いに引き寄せようとする方向に圧縮力が発生する。
【０００６】
さらに、管主体11の外周面に固着している補強突条12の基端とこの基端に連なる管主体11の管壁部11a の外周面とによって形成される隅部ｃには、管主体11を湾曲させた際に、凸円弧状に湾曲する管主体11の外側周壁部11-1においては、上記引張力と共に補強突条12を管主体11の外周面から剥離させようとする曲げ応力が集中的に作用し、繰り返し湾曲させると、管主体11の外周面と補強突条12の基端部との間に亀裂が発生する虞れがあり、また、曲げに対する抵抗力も増大するといった問題点がある。
【０００７】
一方、凹円弧状に湾曲する管主体11の内側周壁部11-2においては、上記圧縮力によって隣接する補強突条部12a 、12a 間が狭まり、これらの補強突条部12a 、12a 間の管主体11の管壁部11a が隣接する補強突条部12a 、12a の基端角部12a1、12a1を支点として補強突条部12a 、12a 間に弛み込むように湾曲変形する。この際、この管壁部11a の湾曲による応力を補強突条部12a の基端角部に集中的に作用させることになり、上記同様に曲げ抵抗が大きくなって管主体11の曲げ剛性が上がり、曲げ難くなるといった問題点がある。
【０００８】
このような問題点は、上記特許文献３に記載されているように、軟質合成樹脂からなる管体の外周面に断面円形の補強突条を、その一部を上記管体に埋入させた状態で螺旋状に巻着しているホースにおいても、或いは、軟質合成樹脂よりなる管主体の外周面に断面半円状ないし蒲鉾状の硬質合成樹脂よりなる補強突条を螺旋状に巻着してなる合成樹脂管においても上記同様に生じることになる。
【０００９】
本発明はこのような問題点に鑑みてなされたもので、その目的とするところは、軟質合成樹脂よりなる管主体を湾曲させた際に、この管主体の外周面に螺旋状に巻着している補強突条の基端部に上記応力が集中的に作用するのを防止することができ、耐久性及び柔軟性に優れた可撓性を有する合成樹脂管を提供するにある。
【課題を解決するための手段】
【００１０】
上記目的を達成するために本発明の可撓性を有する合成樹脂管は、請求項１に記載したように、内周面を平坦な面に形成している軟質合成樹脂よりなる管主体の外周面に硬質合成樹脂よりなる補強突条を一定のピッチでもって螺旋状に巻着してなる可撓性を有する合成樹脂管において、上記管主体の管壁は一定厚みを有する内層壁部と外層壁部とからなり、上記補強突条の内周面に接した管壁部は上記内層壁部と外層壁部とが一体に重合されていてその外層壁部の外周面を補強突条の内周面に固着している一方、上記補強突条における管主体の長さ方向に隣接する補強突条部間の管壁部は上記外層壁部を内層壁部から分離させて隣接する補強突条部の基端角部を両端支点部として外方に向かって凸円弧状に湾曲させた湾曲外層壁部に形成していることを特徴とする。
【００１１】
また、請求項２に係る発明は、内周面を平坦な面に形成している軟質合成樹脂よりなる管主体の外周面に硬質合成樹脂よりなる補強突条を一定のピッチでもって螺旋状に巻着してなる可撓性を有する合成樹脂管において、上記管主体の管壁は一定厚みを有する内層壁部と外層壁部からなり、上記補強突条の内周面に接した管壁部は上記内層壁部と外層壁部とが一体に重合されていてその外層壁部の外周面を補強突条の内周面に固着している一方、上記補強突条における管主体の長さ方向に隣接する補強突条部間の管壁部は、その外層壁部における一半部と他半部とを管壁部の内層壁部から外方に分離させて、外層壁部の一半部においては、その一端を一方の補強突条部の基端に連接させ、他端を上記内層壁部の中間部外周面に連接させた凸円弧状の湾曲外層壁部に形成してあり、他半部においては、その一端を上記内層壁部の中間部外周面に連接させ、他端を他方の補強突条部の基端に連接させた円弧状の湾曲外層壁部に形成していることを特徴とする。
【００１２】
上記のように構成した請求項１、請求項２に記載の可撓性を有する合成樹脂管において、請求項３に係る発明は、管主体の外周面に螺旋状に巻着している補強突条は、断面四角形状に形成されていることを特徴とする。
【発明の効果】
【００１３】
請求項１に係る発明によれば、軟質合成樹脂よりなる管主体の内周面を平坦な面に形成しているので、水等の流体を円滑に流通させることができると共に内周面に塵埃等が滞留、付着するのを防止することができるのは勿論、この管主体の外周面に螺旋状に巻着している硬質合成樹脂よりなる補強突条によって耐圧強度が付与され、管主体が偏平状に変形することなく、さらには座屈など生じさせることなく湾曲させることができる。
【００１４】
さらに、上記のように構成した可撓性を有する合成樹脂管を湾曲させると、凸円弧状に湾曲する管主体の外側周壁部においては、その管壁部に、隣接する補強突条部を互いに引き離そうとする方向に引張力が作用すると共に補強突条部の基端とこの基端に連接した管壁部とによって形成された隅部には補強突条を管主体の外周面から剥離させようとする曲げ応力が作用するが、補強突条部間の管壁部の外層壁部を、隣接する補強突条部における管主体の外周面に連接した基端を両端支点部として管壁部の内層壁部から外方に向かって分離した凸円弧状の湾曲外層壁部に形成しているので、上記隅部に作用する曲げ応力を上記湾曲外層壁部の両端と、内層壁部の両端とに分散させることができ、最も大きな引張力が作用する上記湾曲外層壁部を緊張する方向に変形させながら上記隅部に作用する応力の一部を吸収することができる。
【００１５】
従って、補強突条部を管主体の外周面から剥離させようとする方向に作用する応力を小さくすることができ、管主体の外周面と補強突条部の基端角部との境目が応力によって破断するのを防止することができると共に管主体の剛性を低下させることができ、管壁の厚みが同じ可撓性を有する同大、同形の合成樹脂管に比べて柔軟性、耐久性を向上させることができる。
【００１６】
また、上記可撓性を有する合成樹脂管を屈曲させた際に、凹円弧状に湾曲する管主体の内側周壁部においては管主体の長さ方向に隣接する補強突条部間の管壁部を狭まらせようとする圧縮力が発生するが、この圧縮力によって補強突条部の基端角部に連接している管壁部に作用する曲げ応力を、上記同様に湾曲外層壁部の両端支点部と、この両端支点部に連なった内層壁部の両端部とに分散させることができ、最も大きな圧縮力が作用する上記湾曲外層壁部を内層壁部よりも隣接する補強突条部間に向かってさらに大きく屈曲させながら圧縮力を吸収することができる。
【００１７】
従って、凹円弧状に屈曲する管主体の内側周壁部においてもその管壁の剛性を低下させることができ、柔軟性、耐久性を向上させることができる。
【００１８】
上記請求項２に係る発明によれば、内周面を全長に亘って平坦な面に形成している軟質合成樹脂よりなる管主体の外周面に硬質合成樹脂よりなる補強突条を一定のピッチでもって螺旋状に巻着しているので、上記請求項１に記載の可撓性を有する合成樹脂管と同様に、水等の流体を円滑に流通させることができると共に管主体の外周面に螺旋状に巻着している硬質合成樹脂よりなる補強突条によって耐圧強度を付与することができる。
【００１９】
さらに、上記請求項２に記載した合成樹脂管においては、管主体の長さ方向に隣接する各補強突条部間の管壁部の外層壁部における管主体の長さ方向の一半部と他半部とを管壁部の内層壁部から外方に分離させて、両端部が管壁部における内層壁部の中間部と隣接する補強突条部の基端とにそれぞれ連接させた一対の凸円弧状の湾曲外層壁部に形成しているので、管主体を屈曲させた際に、上記請求項１に記載の合成樹脂管と同様に、補強突条部の基端と管壁部との連接部である隅部に作用する曲げ応力を、補強突条部の基端に連接している湾曲外層壁部の端部と、この端部に連なった管壁内層壁部の両端部とに分散させることができ、管主体を屈曲させた際に最も大きな引張力が作用する管主体の凸円弧状に湾曲した外側周壁部側に設けている上記湾曲外層壁部を緊張する方向に変形させながら上記隅部に作用する曲げ応力の一部を吸収することができる。
【００２０】
従って、補強突条部を管主体の外周面から剥離させようとする方向に作用する曲げ応力を小さくすることができ、管主体の外周面と補強突条部の基端角部との境目が応力によって破断するのを防止することができると共に柔軟性、耐久性を向上させることができる。    
【００２１】
また、管主体を湾曲させた際に、凹円弧状に湾曲する管主体の内側周壁部においては管主体の長さ方向に隣接する補強突条部間の管壁部を狭まらせようとする圧縮力が発生するが、この圧縮力によって補強突条部の基端部に連接している管壁部に作用する曲げ応力を、上述したように、補強突条部の基端に連接している湾曲外層壁部の端部と、この端部に連なった管壁内層壁部の端部とに分散させることができ、最も大きな圧縮力が作用する上記湾曲外層壁部を内層壁部よりもさらに大きく隣接する補強突条部間に向かって湾曲させながら圧縮力を吸収することができる。
【００２２】
従って、凹円弧状に屈曲する管主体の内側周壁部においてもその管壁の剛性を低下させることができ、管全体の柔軟性、耐久性を一段と向上させることができる。
【００２３】
請求項３に係る発明によれば、管主体の外周面に螺旋状に巻着している補強突条は、断面四角形状に形成されているので、管主体の外周面に対する補強突条の接合面積が断面円形或いは楕円形の補強突条よりも大きくなって管主体の外周面に補強突条を融着等により強固に一体化させた合成樹脂管を提供することができる。
【図面の簡単な説明】
【００２４】
【図１】本発明の合成樹脂管の一部を断面した側面図。
【図２】その一部の拡大縦断側面図。
【図３】屈曲させた状態の縦断側面図。
【図４】その一部の拡大縦断側面図。
【図５】本発明の合成樹脂管の他の実施例を示す一部の縦断側面図。
【図６】屈曲させた状態の一部の縦断側面図。
【図７】その一部の拡大縦断側面図。
【図８】従来の合成樹脂管の縦断側面図。
【図９】屈曲させた状態の縦断側面図。
【発明を実施するための形態】
【００２５】
次に、本発明の具体的な実施の形態を図面について説明すると、図１、図２において、可撓性を有する合成樹脂管Ｐは、内周面を全長に亘って一定径の平坦な面に形成している軟質合成樹脂よりなる管主体１の外周面に、硬質合成樹脂よりなる一定幅と一定厚みを有する断面四角形の補強突条２を一定のピッチでもって螺旋状に巻着してなり、上記補強突条２における管主体１の長さ方向に隣接する補強突条部2a、2a間の管壁部を介して屈曲可能に形成していると共に補強突条２によって耐圧強度を付与している。
【００２６】
なお、管主体１は軟質の塩化ビニル樹脂や軟質のポリエチレン樹脂等の軟質合成樹脂からなり、上記補強突条２は硬質の塩化ビニル樹脂や硬質のポリエチレン樹脂等の硬質合成樹脂からなるが、管主体１と補強突条２とは同質の樹脂、例えば、管主体１を軟質の塩化ビニル樹脂より形成している場合には、補強突条２は硬質の塩化ビニル樹脂より形成されている。また、補強突条２は管主体１の外周面に密接する内周面（底面）を管主体１の外周面に融着させることによって固着されている。
【００２７】
上記管主体１の管壁は一定厚みを有する内層壁部1aと一定厚みを有する外層壁部1bとからなり、上記補強突条２の内周面に接した管壁部1-1 は上記内層壁部1aと外層壁部1bとが一体に重合、融着していて、その外層壁部1bの外周面を補強突条２の内周面に固着している。
【００２８】
一方、上記補強突条２における管主体１の長さ方向に隣接する補強突条部2a、2a間の管壁部1-2 は，その外層壁部1bをこれらの補強突条部2a、2aの対向する基端角部を両端支点として内層壁部1aから外方に向かって凸円弧状に分離させた湾曲外層壁部1b' に形成している。この湾曲外層壁部1b' は、その外周面を隣接する補強突条部2a、2aの基端間から外部に露出させていて、管主体１の長さ方向に螺旋状に連続していると共に、湾曲外層壁部1b' の内周面とこの内周面に対向する内層壁部1aの外周面との間には管主体１の長さ方向に螺旋状に連続した三日月状の空間部５が形成されている。
【００２９】
なお、管壁部1aにおける湾曲外層壁部1b' の厚みは、内層壁部1aの厚みに対して同等以下の厚みに形成されている。
【００３０】
上記のように構成した合成樹脂管Ｐを図３、図４に示すように湾曲させると、凸円弧状に湾曲する管Ｐの外側周壁部P-1 側においては、管主体１の長さ方向に隣接する補強突条部2a、2a間の管壁部1-2 に、これらの対向する補強突条部2a、2aを互いに引き離そうとする方向に引張力が作用すると共に補強突条部2a、2aの対向する側面2a1 、2a1 の基端と、この基端に連接した管壁部1-2 の端部外周面とによって形成された隅部ｃには補強突条部2aを管主体１の外周面から剥離させようとする曲げ応力が作用する。
【００３１】
この際、隣接する補強突条部2a、2a間の管壁部1-2 は、一定厚みを有する内層壁部1aと、両端が隣接する補強突条部2a、2aの対向する側面2a 1、2a1 の基端に連接し、この連接基端部を両端支点部３、３として上記内層壁部1aから外方に向かって分離して凸円弧状に湾曲した湾曲外層壁部1b' とからなるので、上記隅部ｃに作用する曲げ応力は、上記湾曲外層壁部1b1'の両端支点部３、３と、この外層壁部1bの両端支点部３、３に連なる上記内層壁部1aの両端部４とに分散させることができ、最も大きな引張力が作用する上記湾曲外層壁部1b' を緊張する方向に変形させながら上記隅部ｃに作用する曲げ応力の一部を吸収して隅部ｃに曲げ応力が集中するのをなくすることができ、管主体１の曲げ剛性を低下させることができて、柔軟性、耐久性に優れた合成樹脂管を提供することができる。
【００３２】
また、上記可撓性を有する合成樹脂管Ｐを屈曲させた際に、凹円弧状に湾曲する管Ｐの内側周壁部P-2 側においては、管主体１の長さ方向に隣接する補強突条部2a、2a間の管壁部1-2 を狭らせようとする圧縮力が発生すると共に補強突条部2a、2aの対向する側面2a1
、2a1 の基端と、この基端に連接した管壁部1-2 の端部外周面とによって形成された上記隅部ｃには管壁部1aの両端部に補強突条部2a、2aの角部を食い込ませようとする曲げ応力が発生する。
【００３３】
この際、上述したように、隣接する補強突条部2a、2a間の管壁部1-2 は、上記のように内層壁部1aと、両端が隣接する補強突条部2a、2aの対向する側面2a1 、2a1 の基端に連接し、この連接基端部を両端支点部３、３として上記内層壁部1aから外方に向かって分離した凸円弧状に湾曲した湾曲外層壁部1b' とからなるので、上記隅部ｃに作用する曲げ応力を、上記湾曲外層壁部1b' の両端支点部３、３と、この両端支点部３、３に連なる上記内層壁部1aの両端部４、４とに分散させることができる。
【００３４】
従って、上記圧縮力により上記湾曲外層壁部1b' の両端支点部３、３に連なる部分を支点として隣接する補強突条部2a、2a間に湾曲変形しながら入り込む内層壁部1aよりも、最も大きな圧縮力が作用する湾曲外層壁部1b' を、上記両端支点部３、３を支点として隣接する補強突条部2a、2a間に上記内層壁部1aよりもさらに大きく湾曲変形させながら入り込ませて、上記隅部ｃに作用する曲げ応力の一部を吸収することができ、隅部ｃに曲げ応力が集中するのをなくすることができると共に管主体１の曲げ剛性を低下させることができて、柔軟性、耐久性に優れた合成樹脂管Ｐを提供することができる。
【００３５】
図５は、本発明の合成樹脂管Ｐの別な実施例を示すもので、上記実施例においては、管主体１の長さ方向に隣接する補強突条部2a、2a間の管壁部1-2 は、内層壁部1aに対して、両端が隣接する補強突条部2a、2aの対向する側面2a1 、2a1 の基端部を両端支点部３、３として外方に向かって凸円弧状に湾曲した一つの湾曲外層壁部1b' を設けてなる構造としているが、この実施例においては、上記管壁部1-2 を内層壁部1aと、この内層壁部1a上に設けている一対の湾曲外層壁部1b1'、1b1'とから構成している。
【００３６】
具体的には、内周面を平坦な面に形成している軟質合成樹脂よりなる管主体１の外周面に硬質合成樹脂よりなる補強突条２を一定のピッチでもって螺旋状に巻着してなる可撓性を有する合成樹脂管Ｐにおいて、上記管主体１の管壁は一定厚みを有する内層壁部1aと一定厚みを有する外層壁部1bとからなり、上記補強突条２の内周面に接した管壁部1-1 は上記内層壁部1aと外層壁部1bとが一体に重合、融着していて、その外層壁部1bの外周面を補強突条２の内周面に固着している。
【００３７】
一方、上記補強突条２における管主体１の長さ方向に隣接する補強突条部2a、2a間の管壁部1-2 は、その外層壁部1bにおける管主体１の長さ方向の一半部と他半部とを管壁部1-2 の内層壁部1aから外方に分離させて、それぞれ凸円弧状に湾曲した湾曲外層壁部1b1'、1b1'に形成している。
【００３８】
具体的には、上記管壁部1-2 における外層壁部1bの一半部側においては、一端を隣接する補強突条部2a、2aにおける一方の補強突条部2aの基端に連接3aさせ、他端を内層壁部1aにおける隣接する補強突条部2a、2a間の中間部外周面に連接3bさせてあり、これらの連接部3a、3bを支点として内層壁部1aの外周面に対して外方に向かって凸円弧状に膨出した湾曲外層壁部1b1'に形成してあり、他半部側においては、一端を上記内層壁部1aにおける隣接する補強突条部2a、2a間の中間部外周面に連接3bさせ、他端を隣接する補強突条部2a、2aにおける他方の補強突条部2aの基端に連接3aさせて、これらの連接部3a、3bを支点として内層壁部1a2 の外周面に対して外方に向かって凸円弧状に膨出した湾曲外層壁部1b1'に形成している。
【００３９】
上記のように構成した合成樹脂管Ｐを図６、図７に示すように湾曲させると、凸円弧状に湾曲する管Ｐの外側周壁部P-1 側においては、管主体１の長さ方向に隣接する補強突条部2a、2a間の管壁部1-2 に、これらの対向する補強突条部2a、2aを互いに引き離そうとする方向に引張力が作用すると共に補強突条部2a、2aの対向する側面2a1 、2a1 の基端と、この基端に連接した管壁部1-2 の端部外周面とによって形成された隅部ｃには補強突条部2aを管主体１の外周面から剥離させようとする曲げ応力が作用する。
【００４０】
この際、管主体１の長さ方向に隣接する各補強突条部2a、2a間の管壁部1-2 の外層壁部1bにおける管主体１の長さ方向の一半部と他半部とを、両端部が管壁部1-2 における内層壁部1aの中間部と隣接する補強突条部2a、2aの対向する基端とにそれぞれ連接3a、3bさせた一対の凸円弧状に湾曲した湾曲外層壁部1b1'、1b1'に形成しているので、補強突条部2aの基端と管壁部1-2 との連接部である隅部ｃに作用する曲げ応力を補強突条部2aの基端に連接している湾曲外層壁部1b1'、1b1'の端部と、この端部に連なった内層壁部1aの両端部とに分散させることができ、管主体１を屈曲させた際に最も大きな引張力が作用する上記湾曲外層壁部1b1'、1b1'が緊張して内層壁部1aの外周面に向かってその湾曲度を減少させる方向に変形しながら上記曲げ応力の一部を吸収することができる。
【００４１】
また、管主体１を湾曲させた際に、凹円弧状に湾曲する管Ｐの内側周壁部P-2 側においては管主体１の長さ方向に隣接する補強突条部2a、2a間の管壁部1-2 を狭まらせようとする方向に圧縮力が発生するが、この圧縮力によって補強突条部2aの基端部に連接している管壁部1-2 に作用する曲げ応力を、補強突条部2aの基端に連接している湾曲外層壁部1b1'、1b1'の連接端部3aと、この連接端部3aの内周側に連なった内層壁部1aの連接端部4aとに分散させることができ、最も大きな圧縮力が作用する上記湾曲外層壁部1b1'、1b1'を内層壁部1aよりもさらに大きく隣接する補強突条部2a、2a間に向かって湾曲させながら圧縮力を吸収することができる。
【００４２】
従って、補強突条部2aの基端とこの基端に連接した管壁部1-2 とによって形成された隅部ｃに曲げ応力が集中するのを抑制することができると共に管主体１の曲げ剛性を低下させることができて、柔軟性、耐久性に優れた合成樹脂管を提供することができる。
【００４３】
なお、以上の実施例においては、いずれも補強突条２、2'として断面四角形状のものを使用しているが、断面が円形或いは楕円形などの硬質合成樹脂製の補強突条を、内管の外周面にその内周面を密着させた状態で螺旋状に巻着してなる合成樹脂管であっも、上記同様の作用効果を奏することができるので、本発明を満足させることができる。
【符号の説明】
【００４４】
１  管主体
1a  内層壁部
1b  外層壁部
1b' 湾曲外層壁部
２  補強突条
2a  補強突条部
３、３  両端支点部
４、４  両端連接部
【図１】
2019027573.tif 000003
【図２】
2019027573.tif 000004
【図３】
2019027573.tif 000005
【図４】
2019027573.tif 000006
【図５】
2019027573.tif 000007
【図６】
2019027573.tif 000008
【図７】
2019027573.tif 000009
【図８】
2019027573.tif 000010
【図９】
2019027573.tif 000011